(57)【要約】      （修正有）【課題】星型模様とそれを取り囲む５のハート型模様が視認されるダイアモンドを提供すること。【解決手段】分割線がキューレット８６を中心として全体を５等分する分割線上に位置する鋭角部を分割線Ｂの２辺のそれぞれの先端と結んで隣接して形成される略菱形形状の５面の第１パビリオンメインファセット９８と、第１パビリオンファセットの上方の１辺を下方の１辺としまた分割線Ａを他の下方の１辺としかつ分割線Ａと分割線Ｂがガードルに接する位置の中央でガードル上に位置する鋭角部と下方のそれぞれの１辺を結んで連続しかつ一つおきに隣接して形成される略菱形形状の１０面の第２パビリオンメインファセット１００と、第２パビリオンメインファセットの上方の辺と分割線Ｂとガードルにより囲まれて連続しかつ一つおきに隣接して形成される略三角形状の２０面のローワーガードルファセット１０２を有する。【選択図】図１４
2008054838.tif 000002
【特許請求の範囲】
【請求項１】
上部中央に平坦なテーブルを有する略円錐台形状のクラウンと、底部中心に鋭角なキューレットを有する略円錐形状のパビリオンと、該クラウンと該パビリオンとの境界周面に帯状のガードルとを具備するダイアモンドであって、前記パビリオン側において、前記キューレットを中心に全体を５等分する分割線Ａを形成し、該分割線Ａと前記ガードルに囲まれて形成される略逆三角形状を２等分する分割線Ｂを前記ガードルより前記キューレット方向に途中まで形成し、前記分割線Ａのうち隣合わさる2線の一部をそれぞれ下方の２辺とし、該２線の一部の先端と前記分割線Ｂの先端とを結んで形成される略菱形形状からなる５面の第１パビリオンメインファセットと、該第１パビリオンファセットの上方の１辺を下方の片側の１辺とし、前記分割線Ａの中間部分を下方の逆側の１辺として、それぞれの辺の先端と前記分割線Ａ及び前記分割線Ｂのガードルとの接点の略中央でかつガードル上に位置する接点とを結んで形成される略菱形形状の１０面の第２パビリオンメインファセットと、該第２パビリオンメインファセットの上方の１辺と前記分割線Ｂ及び前記ガードルに囲まれて形成される略逆三角形状の２０面のローワーガードルファセットを有することを特徴とするダイアモンド。
【請求項２】
前記ガードルにより形成される基準面を仮想した場合において、前記第１パビリオンメインファセットが該基準面に対してなす角度は３３．９度〜３５．０度の範囲であり、前記第２パビリオンメインファセットが該基準面に対してなす角度は４１．５度〜４２．５度の範囲であり、前記ローワーガードルファセットが該基準面に対してなす角度は４０．５度〜４１．５度の範囲であることを特徴とする請求項１に記載のダイアモンド。
【請求項３】
平面上に透過視したと仮定した場合において、前記第１パビリオンメインファセットの総和により形成される星型模様の鋭角部（分割線Ｂの先端）と、その対向側に位置し隣接する前記ローワーガードルファセットにより形成される逆三角形状の先端部（隣接する前記第２パビリオンファセットにより形成される矢じり型模様の凹角部）とを結ぶ直線距離が、前記星型模様の鋭角部近傍に位置する前記テーブルの１辺と、その対向側に位置する前記テーブルの１辺とを結ぶ直線距離よりも短く設定されていることを特徴とする請求項１から２に記載のダイアモンド。
【請求項４】
前記クラウン側において、前記テーブルは略正１０角形に形成され、該テーブルの各辺を底辺とし、全体を１０等分する分割線Ｃを前記ガードルよりテーブルの中心方向に途中まで形成し、該分割線Ｃの先端と前記底辺の両端とを結んで形成される略三角形状の１０面のスターファセットと、隣合わさる２つの前記スターファセットのそれぞれの下辺を上方の２辺とし、前記分割線Ｃとガードルとの接点の略中央でかつガードル上に位置する接点と該２辺の先端を結んで形成される略菱形形状の１０面のクラウンメインファセットと、該クラウンメインファセットの下方の１辺と前記分割線Ｃ及び前記ガードルに囲まれて形成される略逆三角形状の２０面のアッパーガードルファセットとを有することを特徴とする請求項１から３に記載のダイアモンド。
【請求項５】
前記クラウンの略円錐台形状は、円錐台、正十角錘台、正二十角錘台のうちいずれか１の形状であり、前記パビリオンの略円錐形状は、円錐、正十角錘、正二十角錘のうちいずれか１の形状であることを特徴とする請求項１から４に記載のダイアモンド。
【発明の詳細な説明】
【技術分野】
【０００１】
本発明は、クラウンを上方向にして載置すると、テーブル内に星型模様とそれを取り囲む５のハート型模様が視認される美しい装飾的効果を発揮するダイアモンドに関する。
【背景技術】
【０００２】
従来からダイアモンドは、図１、図２及び図３に示すように、ラウンドブリリアントカット１と呼ばれる形状にカットされるものがほとんどで、上部中央に平坦なテーブル２を有する略円錐台形状のクラウン４と、底部中心に鋭角なキューレット６を有する略円錐形状のパビリオン８と、このクラウン４とパビリオン８との境界周面に帯状のガードル１０とを有している。そして、このラウンドブリリアントカット１に形成されるカット面（ファセット）は、クラウン４側においては、テーブル２、８面のスターファセット１２と、８面のクラウンメインファセット１４と、１６面のアッパーガードルファセット１６と、パビリオン８側においては、キューレット６、８面のパビリオンメインファセット１８と、１６面のローワーガードルファセット２０からなるカット面を有している。
【０００３】
ほとんどのダイアモンドがこのようにカットされる理由は、ダイアモンドの光学的性質に起因するもので、例えば、図４においてラウンドブリリアントカット１における光の反射が示されるように、入射光２２をできる限りファセット（特にパビリオン８におけるファセット）で反射させ、多くの反射光２４により輝きを最大限に発揮させるためである。すなわち、ファセットの面数とそれにより形成される各ファセットの位置・角度を最大限に利用するためであるが、一方では、そのようなラウンドブリリアントカット１は古今東西を問わず販売されてきたものであるから、現在では新しい趣向に富んだ異なるカットもいくつか開発されている。
【０００４】
【特許文献１】特願２００２−３６４８２６
【発明の開示】
【発明が解決しようとする課題】
【０００５】
例えば、図５、図６及び図７に示すように、パビリオンの最底部に５個の四角形の面Ａの一頂部が集まり相隣接する四角形の面Ａは下方の一辺をそれぞれ共通とするとともに四角形の面Ａがガードル部を基準面とした場合この基準面に対しなす角度は４０．５度〜４１．５度であり、この四角形の面Ａの上方の一辺とその辺を共通とし一つおきに隣接する三角形の面Ｂとも一辺を共通とする１０個の三角形の面Ｂが基準面に対しなす角度は４１．５度〜４２．５度であり、またガードルとクラウンの平面部に対向する頂部が接し一つおきに隣接する四角形の面Ｃとも一辺を共通とする１０個の四角形の面Ｃが基準面に対しなす角度は３３．０度〜３５．０度であり、デプスはガードル部の直径の５５％〜６５％としたことを特徴とするダイアモンド３０が存在する。
【０００６】
このようなダイアモンド３０においては、パビリオン側とクラウン側の表面を前記角度にカットし、パビリオン側最底部の平面視で星形となるようにしたカットの大きさとクラウン側の平面部の大きさを略同一とし、さらにガードル部の直径とデプスの割合をこのような範囲とすることにより、クラウン側の平面部から見た場合に、この平面の十角形に丁度内接するようにパビリオン側最低部の五角形の星型がきれいに見えることになる。
【０００７】
しかし、ダイアモンド３０では、単にテーブル内に五角形の星型が視認されるだけであることより模様が単調な部分があり、他の模様も合わせて視認されるようなダイアモンドが開発されれば、その装飾的効果が倍増することに間違いない。
【課題を解決するための手段】
【０００８】
本発明は、このような点を鑑みて開発されたもので、クラウンを上方向にして載置すると、テーブル内に星型模様とそれを取り囲むような５のハート型模様が合わせて視認されることにより、万華鏡のような極めて美しい装飾的効果を発揮するダイアモンドを提供することを目的とする。
【０００９】
すなわち、請求項１に記載された発明は、上部中央に平坦なテーブルを有する略円錐台形状のクラウンと、底部中心に鋭角なキューレットを有する略円錐形状のパビリオンと、該クラウンと該パビリオンとの境界周面に帯状のガードルとを具備するダイアモンドであって、前記パビリオン側において、前記キューレットを中心に全体を５等分する分割線Ａを形成し、該分割線Ａと前記ガードルに囲まれて形成される略逆三角形状を２等分する分割線Ｂを前記ガードルより前記キューレット方向に途中まで形成し、前記分割線Ａのうち隣合わさる2線の一部をそれぞれ下方の２辺とし、該２線の一部の先端と前記分割線Ｂの先端とを結んで形成される略菱形形状からなる５面の第１パビリオンメインファセットと、該第１パビリオンファセットの上方の１辺を下方の片側の１辺とし、前記分割線Ａの中間部分を下方の逆側の１辺として、それぞれの辺の先端と前記分割線Ａ及び前記分割線Ｂのガードルとの接点の略中央でかつガードル上に位置する接点とを結んで形成される略菱形形状の１０面の第２パビリオンメインファセットと、該第２パビリオンメインファセットの上方の１辺と前記分割線Ｂ及び前記ガードルに囲まれて形成される略逆三角形状の２０面のローワーガードルファセットを有するダイアモンドであることを特徴とする。また、そのようなダイアモンドは、前記ガードルにより形成される基準面を仮想した場合において、前記第１パビリオンメインファセットが該基準面に対してなす角度は３３．９度〜３５．０度の範囲であり、前記第２パビリオンメインファセットが該基準面に対してなす角度は４１．５度〜４２．５度の範囲であり、前記ローワーガードルファセットが該基準面に対してなす角度は４０．５度〜４１．５度の範囲であり、平面上に透過視したと仮定した場合において、前記第１パビリオンメインファセットの総和により形成される星型模様の鋭角部（分割線Ｂの先端）と、その対向側に位置し隣接する前記ローワーガードルファセットにより形成される逆三角形状の先端部（隣接する前記第２パビリオンファセットにより形成される矢じり型模様の凹角部）とを結ぶ直線距離が、前記星型模様の鋭角部近傍に位置する前記テーブルの１辺と、その対向側に位置する前記テーブルの１辺とを結ぶ直線距離よりも短く設定されていることを特徴とすることが好ましい。
【００１０】
したがって、クラウンを上方向にして載置すると、テーブル内に星型模様とそれを取り囲む５のハート型模様を合わせて視認することができ、美しい装飾的効果を発揮することができる。
【００１１】
そして、請求項４に記載された発明は、前記クラウン側において、前記テーブルは略正１０角形に形成され、該テーブルの各辺を底辺とし、全体を１０等分する分割線Ｃを前記ガードルよりテーブルの中心方向に途中まで形成し、該分割線Ｃの先端と前記底辺の両端とを結んで形成される略三角形状の１０面のスターファセットと、隣合わさる２つの前記スターファセットのそれぞれの下辺を上方の２辺とし、前記分割線Ｃとガードルとの接点の略中央でかつガードル上に位置する接点と該２辺の先端を結んで形成される略菱形形状の１０面のクラウンメインファセットと、該クラウンメインファセットの下方の１辺と前記分割線Ｃ及び前記ガードルに囲まれて形成される略逆三角形状の２０面のアッパーガードルファセットとを有する請求項１から３に記載のダイアモンドであることを特徴とする。
【００１２】
したがって、テーブル内に視認される５の先端部を有する星型模様、それを取り囲む５つのハート型模様、クラウン側において形成されるスターファセット、クラウンメインファセット、アッパーガードルファセットが全て５の倍数による面数を基準とし、幾何学的にユニークな装飾的効果を発揮することができる。
【００１３】
さらに、請求項５に記載された発明は、前記クラウンの略円錐台形状は、円錐台、正十角錘台、正二十角錘台のうちいずれか１の形状であり、前記パビリオンの略円錐形状は、円錐、正十角錘、正二十角錘のうちいずれか１の形状である請求項１から４に記載のダイアモンドであることを特徴とする。
【発明の効果】
【００１４】
したがって、テーブル内に星型模様とそれを取り囲むハート型模様を合わせて視認でき、美しい装飾的効果を有するダイアモンドについて種々の形状を提供することができる。
【発明を実施するための最良の形態】
【００１５】
以下、図面を参照しつつ本発明を詳細に説明する。図８は、本発明に係る第１の実施態様を示す側面図、図９は、その平面図、図１０は、その底面図、図１１は、その一部を平面上に透過視した場合を示す図、図１２は、その反射像を示す図である。
【００１６】
ダイアモンド４０は、上部中央に平坦なテーブル４２を有する略円錐台形状のクラウン４４と、底部中心に鋭角なキューレット４６を有する略円錐形状のパビリオン４８と、このクラウン４４とパビリオン４８との境界周面の帯状のガードル５０とを有している。
【００１７】
そして、クラウン４４側において、テーブル４２は略正１０角形に形成され、テーブル４２の各辺を底辺４９とし、全体を１０等分する分割線Ｃ５１（５１ａ、５１ｂ）をガードル５０よりテーブル４２の中心方向に途中（テーブル４２にキューレット４６を仮想した場合に、ガードル５０よりキューレット４６までの距離の約半分程度）まで形成し、分割線Ｃ５１の実線部分の先端と底辺４９の両端を結んで、テーブル４２を取り囲むように形成される略三角形状の１０面のスターファセット５２と、隣合わさる２つのスターファセット５２のそれぞれの下辺を上方の２辺５５ａ、５５ｂとし、かつ分割線Ｃ５１ａ、５１ｂとガードル５０との接点の略中央でかつガードル５０上に位置する接点５３と２辺５５ａ、５５ｂの先端を結んで形成される略菱形形状の１０面のクラウンメインファセット５４と、クラウンメインファセット５４の下方の１辺５５ｃと分割線Ｃ５１ｂとガードル５０に囲まれて連続しかつ１つおきに接して（２つずつが１組となって）形成される略三角形状の２０面のアッパーガードルファセット５６とを有している。
【００１８】
さらに、パビリオン側４８において、キューレット４６を中心に全体を５等分する分割線Ａ５８を形成し、分割線Ａ５８ａ、５８ｂとガードル５０に囲まれて形成される略逆三角形状を２等分する分割線Ｂ６０をガードル５０よりキューレット４６方向に途中まで形成し（ガードル５０よりキューレット４６までの距離の約３分の２程度）、分割線Ａのうち隣合わさる2線である５８ａ、５８ｂの一部をそれぞれ下方の２辺とし、２線上の一部のそれぞれの先端部と分割線Ｂ６０の先端６２とを結んで形成される略菱形形状からなる５面の第１パビリオンメインファセット６４と、第１パビリオンファセット６４の上方の１辺を下方の片側の１辺とし、分割線Ａ５８ａの中間部分５８ｅを下方の逆側の１辺として、それぞれの辺の先端と分割線Ａ５８ａ及び分割線Ｂ６０のガードルとの接点の略中央でかつガードル上に位置する接点６６とを結んで、連続しかつ１つおきに接して（２つずつが１組となって）形成される略菱形形状の１０面の第２パビリオンメインファセット６８と、第２パビリオンメインファセット６８の上方の１辺６８ａと分割線Ｂ６０及びガードル５０に囲まれて、連続しかつ１つおきに接して（２つずつが１組となって）形成される略逆三角形状の２０面のローワーガードルファセット７０を有している。
【００１９】
そして、パビリオン４８側のファセットは、両側のガードル５０を結んで形成される基準面を仮想した場合、この基準面に対してなす角度が、例えば、ローワーガードルファセット７０は４０．５度〜４１．５度の範囲であり、第２パビリオンメインファセット６８は４１．５度〜４２．５度の範囲であり、第１パビリオンメインファセット６４は３３．９度〜３５．０度の範囲であるというように徐々に小さくなることで、各ファセット面の角度に段差（徐々に浅底になる）が設けられている。
【００２０】
さらに、ダイアモンド４０を平面上に透過視したと仮定すると、第１パビリオンメインファセット６４の総和により形成される星型模様７４の鋭角部（分割線Ｂ６０の先端６２）と、その対向側に位置し隣接するローワーガードルファセット７０により形成される逆三角形状の先端部７２（隣接する第２パビリオンファセット６８ａ、６８ｂにより形成される矢じり型模様の凹角部）とを結ぶ直線距離Ｘが、星型模様７４の鋭角部近傍に位置するテーブル４２の１辺４９ａと、その対向側に位置するテーブル４２の１辺４９ｂとを結ぶ直線距離Ｙよりも短く設定されている。
【００２１】
もちろん、このような寸法比率のダイアモンド４０においては、最も遠い位置にある星型模様７４の鋭角部同士を互いに結ぶ直線距離Ｚは、直線距離Ｙよりも短くなるのは当然である。
【００２２】
そして、パビリオン側４８にこのようなファセット面を形成すると、ダイアモンド４０における光の屈折率は一定であることより、角度に段差を有するファセット面の境界線はテーブル４２に鮮明に印影し、段差を有しないファセット面の境界線はそれほど鮮明に印影しない。
【００２３】
したがって、ダイアモンド４０では、第１パビリオンファセット６４の総和による星型模様７４が第２パビリオンファセット６８との境界線によりくっきりと形成されてテーブル４２内にきれいに視認されるようになる。さらに、星形模様７４とテーブル４２の各辺４９に取り囲まれる部分は略七角形を形成するとも思われるが、テーブル４２の各辺４９の中央には２つで１組となるローワーガードルファセット７０により形成される鋭角部７２との境界線がテーブル４２の内側にやや入り込むことにより、略七角形は略ハート型模様に修正される。したがって、星型模様７４を取り囲むような形態で５つの略ハート型模様７２を視認することもできる。
【００２４】
また、ダイアモンド４０では、クラウン４４側において、１０面のスターファセット５２、１０面のクラウンメインファセット５４、２０面のアッパーガードルファセット５６がそれぞれ５の倍数で形成されているため、５の先端部を有する星型模様７４及び５つのハート型模様７６と相俟って、テーブル４２内にそれらの模様が視認されると、幾何学的にもバランスのとれた装飾性を発揮する。
【００２５】
特に、テーブル４２を上方にして載置した状態（フェイスアップ方向）で、カラーフィルターを用いた有色光によりクラウンメインファセット５４を照射し、かつ他のファセットからの入射光等を遮断して拡大視装置を使用すると、星型模様７４とハート型模様７６は極めて鮮明に印影し、ダイアモンド４０は、あたかも万華鏡のような美しい装飾的効果を発揮することができる。
【００２６】
図１３は、本発明に係る第２の実施態様を示す平面図、図１４は、その底面図である。
【００２７】
ダイアモンド８０は、周部形状が真円ではないがダイアモンド４０と同様に、テーブル内に星形模様とそれを取り囲むような５つの略ハート型模様を視認できる他のダイアモンドの実施例である。すなわち、ダイアモンド８０においては、クラウン８４そのものが正十角錘台形状であり、またパビリオン８８そのものが正十角錘形状である。
【００２８】
そして、クラウン８４には、テーブル８２、１０面のスターファセット９２、１０面のクラウンメインファセット９４、２０面のアッパーガードルファセット９６が形成され、パビリオン８８には、キューレット８６、５面の第１パビリオンメインファセット９８、１０面の第２パビリオンメインファセット１００、２０面のローワーガードルファセット１０２が形成されている。
【００２９】
そして、ダイアモンド８０における直線距離Ｘ、直線距離Ｙ、直線距離Ｚの寸法比率がダイアモンド４０と同様で、かつガードル基準面を仮想した場合の各ファセット面の角度範囲も前記同様である。
【００３０】
したがって、テーブル８２内には星形模様とそれを取り囲むハート型模様が視認され、同様の美しい装飾的効果を発揮できる。
【００３１】
なお、このような周部形状が角錘形状であるダイアモンドには、他にもクラウンが正二十角錘台で、パビリオンが正二十角錘である場合等も考えられ、さらには角錐形がより大なる５の倍数である場合のダイアモンドも当然に想定される。
【００３２】
本発明は上記の実施形態に限定されず、種々変更して実施することが可能である。例えば、本発明に係るダイアモンドは、パビリオン側において前記したような角度や寸法比率により５面の第１パビリオンメインファセット、１０面の第２パビリオンメインファセット、２０面のローワーガードルファセットが形成され、クラウン側において同様の寸法比率によりテーブルが形成されていれば良く、他の部分の形状はどのようなものであっても差し支えない。例えば、図１５に示すように、クラウン側においてテーブル以外にはカット面を全く有しないようなカボションカットに近いものであっても本発明に特有の効果を発揮できる。
【００３３】
また、上記の実施形態においては、ダイアモンドについてのみ説明しているが、本発明はダイアモンド以外の宝石にも適用できるのは言うまでもない。
【図面の簡単な説明】
【００３４】
【図１】従来のラウンドブリリアントカットを示す側面図である。
【図２】従来のラウンドブリリアントカットを示す平面図である。
【図３】従来のラウンドブリリアントカットを示す側面図である。
【図４】ラウンドブリリアントカットにおける光の反射を示す図である。
【図５】星型模様が視認できる従来のダイアモンドの一例を示す側面図である。
【図６】星型模様が視認できる従来のダイアモンドの一例を示す平面図である。
【図７】星型模様が視認できる従来のダイアモンドの一例を示す底面図である。
【図８】本発明に係るダイアモンドの第１の実施態様を示す側面図である。
【図９】本発明に係るダイアモンドの第１の実施態様を示す平面図である。
【図１０】本発明に係るダイアモンドの第１の実施態様を示す底面図である。
【図１１】本発明に係るダイアモンドの一部を平面上に透過視した場合を示す図である。
【図１２】本発明に係るダイアモンドの反射像を示す図である。
【図１３】本発明に係るダイアモンドの第２の実施態様を示す平面図である。
【図１４】本発明に係るダイアモンドの第２の実施態様を示す底面図である。
【図１５】本発明に係るダイアモンドの第３の実施態様を示す側面図である。
【符号の説明】
【００３５】
１  ラウンドブリリアントカット
２  テーブル
４  クラウン
６  キューレット
８  パビリオン
１０  ガードル
１２  スターファセット
１４  クラウンメインファセット
１６  アッパーガードルファセット
１８  パビリオンメインファセット
２０  ローワーガードルファセット
２２  入射光
２４  反射光
３０  ダイアモンド
４０  ダイアモンド
４２  テーブル
４４  クラウン
４６  キューレット
４８  パビリオン
４９  底辺
５０  ガードル
５１  分割線Ｃ
５２  スターファセット
５３  接点
５４  クラウンメインファセット
５６  アッパーガードルファセット
５８  分割線Ａ
６０  分割線Ｂ
６２  先端
６４  第１パビリオンメインファセット
６６  接点
６８  第２パビリオンメインファセット
７０  ローワーガードルファセット
７２  鋭角部
７４  星型模様
７６  ハート型模様
８０  ダイアモンド
８２  テーブル
８４  クラウン
８６  キューレット
８８  パビリオン
９２  スターファセット
９４  クラウンメインファセット
９６  アッパーガードルファセット
９８  第１パビリオンメインファセット
１００  第２パビリオンメインファセット
１０２  ローワーガードルファセット
【図１】
2008054838.tif 000003
【図２】
2008054838.tif 000004
【図３】
2008054838.tif 000005
【図４】
2008054838.tif 000006
【図５】
2008054838.tif 000007
【図６】
2008054838.tif 000008
【図７】
2008054838.tif 000009
【図８】
2008054838.tif 000010
【図９】
2008054838.tif 000011
【図１０】
2008054838.tif 000012
【図１１】
2008054838.tif 000013
【図１２】
2008054838.tif 000014
【図１３】
2008054838.tif 000015
【図１４】
2008054838.tif 000016
【図１５】
2008054838.tif 000017